(57)【要約】【課題】組み立てが容易であり、かつ部品点数を削減することができるリモコン収納構造を提供する。【解決手段】機器筐体５に回動自在に取り付けられ、回動に応じて先端部６ａが収納部５ｄに出没するレバー６Ａと、機器筐体５に回動自在に取り付けられ、レバー６Ａと対称に回動して先端部６ａが収納部５ｄに出没するレバー６Ｂと、レバー６Ａ，６Ｂにそれぞれ設けられ、先端部６ａが収納部５ｄに突出する回動方向にレバー６Ａ，６Ｂを付勢する捻回バネ７ａと、機器筐体５に取り付けられ、押下操作に応じて、捻回バネ７ａからの付勢力に抗して先端部６ａが収納部５ｄから埋没する回動方向にレバー６Ａ，６Ｂを回動させて、収納部５ｄに対するリモコン２のロックを解除するリリース釦４とを備える。【選択図】図３
2014155166.tif 000002
【特許請求の範囲】
【請求項１】
機器筐体に設けた収納部にリモートコントローラ（以下、リモコンと記載する）を収納するリモコン収納構造において、
前記機器筐体に回動自在に取り付けられ、回動に応じて先端部が前記収納部に出没する第１のレバーと、
前記機器筐体に回動自在に取り付けられ、前記第１のレバーと対称に回動して先端部が前記収納部に出没する第２のレバーと、
前記第１および前記第２のレバーにそれぞれ設けられ、前記先端部が前記収納部に突出する回動方向に前記第１および前記第２のレバーを付勢するバネ部材と、
前記機器筐体に取り付けられ、押下操作に応じて、前記バネ部材からの付勢力に抗して前記先端部が前記収納部から埋没する回動方向に前記第１および前記第２のレバーを回動させて、前記収納部に対する前記リモコンのロックを解除するリリース釦とを備えたことを特徴とするリモコン収納構造。
【請求項２】
前記第１および前記第２のレバーは、回動軸にスナップフィットを備えており、
前記機器筐体に形成した取り付け用孔部に前記スナップフィットを嵌合させて取り付けられることを特徴とする請求項１記載のリモコン収納構造。
【請求項３】
前記バネ部材と、前記リリース釦を元の位置に復帰させるバネ部材は、同一仕様のバネ部材であることを特徴とする請求項１または請求項２記載のリモコン収納構造。
【請求項４】
前記機器筐体の前記収納部との境界部における互いに対称な位置に設けられ、開口部が形成された立ち壁部と、
前記第１および前記第２のレバーからそれぞれ延設されて、前記第１および前記第２のレバーの回動に応じて、前記機器筐体に形成したリブ上を摺動するガタ止め用片部と、
前記開口部の縁部にそれぞれ設けられたガタ止め用リブとを備え、
前記第１および前記第２のレバーは、前記ガタ止め用リブと前記ガタ止め用片部に当接する前記リブとによって回動軸に沿った方向の動きが規制されることを特徴とする請求項１から請求項３のうちのいずれか１項記載のリモコン収納構造。
【発明の詳細な説明】
【技術分野】
【０００１】
この発明は、例えば、車室内の天井部に取り付けられる開閉式ディスプレイのリモートコントローラ（以下、リモコンと記載する）を収納するリモコン収納構造に関する。
【背景技術】
【０００２】
例えば、特許文献１には、リモコンを機器筐体の一部に収納し、使用時に機器筐体から外すことができるリモコン収納構造が開示されている。この構造は、リモコンを長手方向の２点で押さえて収納部にロックするレバーを有している。このレバーは、リモコンを押さえる２つの突起部分が一体に連結されており、また、レバーホルダを介して機器筐体に組み付けられている。
【先行技術文献】
【特許文献】
【０００３】
【特許文献１】特開２００５−３０６１１８号公報
【発明の概要】
【発明が解決しようとする課題】
【０００４】
特許文献１に代表される従来の技術は、上記レバーがレバーホルダに保持されており、このレバーホルダを介して装置の筐体側に組み付けられている。また、レバーホルダの筐体側への組み付けは、ねじ止めによって行われている。
このように、従来では、上記レバーを筐体側に組み付けるための専用のレバーホルダが必須であるので、レバーホルダへのレバーの保持とレバーホルダの筐体への組み付け作業とが必要であり、組み立て工程が繁雑化するという課題があった。
特に、レバーホルダのねじ止めは、電動ドライバなどを使用する設備が必要となる。
【０００５】
また、上記レバーは、リモコンを押さえる２つの突起部分が一体に連結されている。
このため、製造上のばらつき、または、収納されたリモコン側にレバーを付勢するコイルバネの弾性力の劣化などによって２つの突起部分の突出量が互いに異なる状態になった場合、リリースボタンを押してもリモコンが外れなくなる可能性がある。
【０００６】
この発明は、上記のような課題を解決するためになされたもので、組み立てが容易であり、かつ部品点数を削減することができるリモコン収納構造を得ることを目的とする。
【課題を解決するための手段】
【０００７】
この発明に係るリモコン収納構造は、機器筐体に設けた収納部にリモコンを収納するリモコン収納構造において、機器筐体に回動自在に取り付けられ、回動に応じて先端部が収納部に出没する第１のレバーと、機器筐体に回動自在に取り付けられ、第１のレバーと対称に回動して先端部が収納部に出没する第２のレバーと、第１および第２のレバーにそれぞれ設けられ、先端部が収納部に突出する回動方向に第１および第２のレバーを付勢するバネ部材と、機器筐体に取り付けられ、押下操作に応じて、バネ部材からの付勢力に抗して先端部が収納部から埋没する回動方向に第１および第２のレバーを回動させて、収納部に対するリモコンのロックを解除するリリース釦とを備えたことを特徴とする。
【発明の効果】
【０００８】
この発明によれば、組み立てが容易であり、かつ部品点数を削減することができるという効果がある。
【図面の簡単な説明】
【０００９】
【図１】この発明に係るリモコン収納構造を適用した電子機器を示す図である。
【図２】収納部に収納されてロックされたリモコンの断面図である。
【図３】実施の形態１に係るリモコン収納構造を示す図である。
【図４】従来のリモコン収納構造を示す図である。
【図５】リリース釦を外した状態のリモコン収納構造を示す斜視図である。
【図６】レバーの組み付け手順を示す図である。
【図７】レバーおよびその周辺構成を示す図である。
【図８】リリース釦の組み付け手順を示す図である。
【図９】リリース釦とレバーを示す斜視図である。
【図１０】リリース釦の当て面とレバーの突起部との位置関係を示す図である。
【図１１】この発明の実施の形態２に係るリモコン収納構造を示す斜視図である。
【図１２】実施の形態２に係るリモコン収納構造で収納部にリモコンをロックした状態を示す斜視図である。
【図１３】リリース釦を外した状態の実施の形態３に係るリモコン収納構造を示す斜視図である。
【図１４】実施の形態３におけるリリース釦とレバーを示す斜視図である。
【発明を実施するための形態】
【００１０】
実施の形態１．
図１は、この発明に係るリモコン収納構造を適用した電子機器を示す図であり、例えば車室内の天井部に取り付けられる開閉式ディスプレイを示している。図１において、開閉式ディスプレイ１は、リモコン２、ディスプレイ部３、リリース釦４および機器筐体５を備える。リモコン２は、開閉式ディスプレイ１に対して所定の動作を指示するリモートコントローラである。ディスプレイ部３は、機器筐体５に対して開閉自在に設けたディスプレイである。
また、機器筐体５は、化粧パネル５ａに覆われており、化粧パネル５ａの開口した部分に、リモコン２を収納するための収納部が形成されている。
この収納部に収納された状態でロックされたリモコン２は、リリース釦４を押下することにより、ロックが解除されて収納部から取り出すことができる。
【００１１】
図２は、収納部に収納されてロックされたリモコンの断面図である。図２（ａ）は図１のＡ−Ａ線で切った断面斜視図であり、図２（ｂ）は収納部に収納された状態のリモコンをロックする機構を示す断面図である。なお、図２では、内部構造を観察するため、図１に示した化粧パネル５ａを外した状態を示している。
機器筐体５の取り付け面５ｂには、図２（ａ）に示すようなレバー６Ａ（および６Ｂ）が設けられる。また、インナーパネル５ｃには、リモコン２を収納する収納部５ｄが形成されている。この収納部５ｂにレバー６Ａ，６Ｂの先端部が出没する。
【００１２】
また、図２（ａ）および図２（ｂ）に示すように、リモコン２には、長手方向に沿って２つの孔部２ａが設けられる。収納部５ｄに突出したレバー６Ａ，６Ｂの先端部が孔部２ａと係合することにより、リモコン２は、収納部５ｄに収納された状態でロックされる。この状態でリリース釦４を押下した場合、レバー６Ａ，６Ｂの先端部が、収納部５ｄから埋没する方向に回動してリモコン２のロックが解除される。
【００１３】
図３は、実施の形態１に係るリモコン収納構造を示す図であり、図３（ａ）は、実施の形態１に係るリモコン収納構造の斜視図を示しており、図３（ｂ）は、図３（ａ）のリモコン収納構造の主要部品を分解した分解斜視図を示している。図３（ａ）に示すように、実施の形態１に係るリモコン収納構造においては、機器筐体５の取り付け面５ｂに取り付けた２つのレバー６Ａ，６Ｂによってリモコンを収納部５ｄにロックする。
その構造として、図３（ｂ）に示すように、リリース釦４、レバー６Ａ，６Ｂ、レバーの捻回バネ７ａおよびリリース釦の捻回バネ７ｂを備えて構成される。レバー６Ａ，６Ｂは、取り付け面５ｂに直接取り付けられて、互いが対称に回動する。
【００１４】
図４は、従来のリモコン収納構造を示す図であり、特許文献１に開示される構造に相当する。また、図４（ａ）は、従来のリモコン収納構造の斜視図を示しており、図４（ｂ）は、従来のリモコン収納構造の主要部品を分解した分解斜視図を示している。
図４（ａ）に示すように、従来のリモコン収納構造においても、インナーパネル１０１に収納部１００が形成されており、この収納部１００に収納したリモコンをレバー１０３の先端部でロックする。また、この状態でリリース釦１０２を押下することで、ロックを解除することができる。
【００１５】
しかしながら、従来のリモコン収納構造においては、図４（ｂ）に示すように、リモコンをロックする２つの係合部が一体となったレバー１０３およびレバー１０３の係合部を収納部１００から突出するよう付勢するコイルバネ１０４を、レバーホルダ１０５に組み付け、ねじ１０６を用いてインナーパネル１０１に固定していた。
従って、レバー１０３およびコイルバネ１０４をレバーホルダ１０５に保持する作業とレバーホルダ１０５をインナーパネル１０１に組み付ける作業とが必要であり、組み立て工程が繁雑化していた。特に、レバーホルダ１０５のねじ止めは電動ドライバなどを使用する設備が必要となる。
【００１６】
また、リリース釦１０２には、捻回バネ１０７が取り付けられる。この捻回バネ１０７は、リリース釦１０２が押下された際に元の位置に戻るように付勢している。
しかし、図４（ｂ）に示すように、捻回バネ１０７は、レバー１０３に取り付けるコイルバネ１０４とは仕様が異なるバネ部材であるため、取り付け構造が異なり、構造が複雑になる。
【００１７】
これに対して、この発明では、図３（ｂ）のように、レバー６Ａ，６Ｂおよび捻回バネ７ａを機器筐体５の取り付け面５ｂに直接取り付けてリモコン収納構造を構成することができ、部品点数が削減されて容易に組み立てることが可能である。
また、従来のようなレバーホルダをねじ止めするための設備が不要であるため、組み立て工程を格段に簡略化することができる。
さらに、捻回バネ７ａおよびリリース釦４を元の位置に復帰させる捻回バネ７ｂが同一仕様のバネ部材であるので、全てのバネ部材が同様な構造で取り付け可能であり、構造を簡略化することができる。
【００１８】
次に、実施の形態１に係るリモコン収納構造の組み付けについて説明する。
図５は、リリース釦を外した状態のリモコン収納構造を示す斜視図である。また、図６は、レバーの組み付け手順を示す図である。図７は、レバーおよびその周辺構成を示す図である。図５に示すように、実施の形態１に係るリモコン収納構造においては、レバー６Ａが機器筐体５の取り付け面５ｂに回動自在に取り付けられ、レバー６Ｂがレバー６Ａと対称に回動するように取り付け面５ｂに取り付けられている。
なお、レバー６Ａ，６Ｂの回動軸から先端部６ａまでをつなぐアーム部分は、レバー６Ａ，６Ｂの回動に応じてリブ５ｈ上を摺動する。リリース釦４は、取り付け面５ｂに形成した取り付けリブ５ｆに軸支される。
【００１９】
また、図５に示すように、レバー６Ａ，６Ｂは、捻回バネ７ａによってそれぞれの先端部６ａが収納部５ｄに突出する回動方向に付勢されている。
すなわち、レバー６Ａ，６Ｂのバネ挿入軸６ｃに挿入した捻回バネ７ａの一端を、レバー６Ａ，６Ｂに形成されたバネ当て部６ｄに掛け、捻回バネ７ａのもう一端を、取り付け面５ｂに設けられたバネ当て部５ｇに掛ける。
これにより、レバー６Ａ，６Ｂの先端部６ａが収納部５ｄに突出する回動方向にレバー６Ａ，６Ｂを付勢することができる。
なお、捻回バネ７ａに付勢された状態で、レバー６Ａ，６Ｂのもう一方の端部６ｂは、図９を用いて後述するリリース釦４の当て面部４ｃに当接する。
【００２０】
立ち壁部５Ｅは、取り付け面５ｂと収納部５ｄの境界部における、互いに対称な位置にそれぞれ設けられ、各立ち壁部５Ｅには開口部５ｅが形成されている。レバー６Ａ，６Ｂの先端部６ａは、図７に示すように、立ち壁部５Ｅの開口部５ｅを介して収納部５ｄに出没する。
【００２１】
レバー６Ａ，６Ｂの組み付けは、図６に示すように、手順（１）としてバネ挿入軸６ｃと同軸に設けられたスナップフィット６ｅを、取り付け面５ｂに形成された取り付け用孔部５ｉに嵌合する。
次いで、手順（２）として、破線の矢印方向にレバー６Ａ，６Ｂを回動させて、先端部６ａが収納部５ｄに突出する回動位置とする。
この後、捻回バネ７ａをバネ挿入軸６ｃに挿入して、上述したように各端部をバネ当て部５ｇ，６ｄに掛ける。これにより、図５に示したような状態となる。
【００２２】
図８は、リリース釦の組み付け手順を示す図である。図４に示した状態まで組み付けが完了すると、次いでリリース釦４の組み付けが行われる。
まず、図８に示すように、捻回バネ７ｂをリリース釦４のバネ挿入軸４ａに取り付け、バネ挿入軸４ａと同軸に形成された回動軸４ｂを、取り付けリブ５ｆの軸受け部５ｆ−１に軸支することにより、リリース釦４は、機器筐体５に取り付けられる。
この後、捻回バネ７ｂの一端をリリース釦４の裏面側に当接させ、もう一端を取り付け面５ｂ側に当接させることで、リリース釦４は、所定の初期位置が維持されるように付勢される。
【００２３】
レバー６Ａ，６Ｂの端部６ｂには、図９（ａ）に示すように突起部６ｂ−１が形成されており、リリース釦４には、その裏面から突出した当たり面部４ｃが形成されている。
この当たり面部４ｃは、図９（ａ）に示すように、基部から徐々に窄まった略三角形の形状を有している。
リリース釦４が所定の初期位置にあるとき、レバー６Ａ，６Ｂの端部６ｂは、捻回バネ７ａから付勢され、図９（ａ）に示すように、突起部６ｂ−１が当たり面部４ｃに当接している。このとき、突起部６ｂ−１は、図１０（ａ）に示すように、当たり面部４ｃの頂点部付近に当接している。
【００２４】
初期状態からリリース釦４を押下していくと、リリース釦４は、図９（ｂ）に示すように回動軸４ｂを中心に回動する。これに応じて、レバー６Ａ，６Ｂの突起部６ｂ−１は、図１０（ｂ）に示すように、当たり面部４ｃの頂点部から基部に向けて摺動する。
このとき、突起部６ｂ−１が収納部５ｄ側に近付いていくため、レバー６Ａ，６Ｂは、互いの先端部６ａが離間する方向（図９（ｂ）の矢印方向）、すなわち先端部６ａが収納部５ｄから埋没する方向に回動する。
【００２５】
リリース釦４が所定の位置まで押下されると、突起部６ｂ−１と当たり面部４ｃとが、図１０（ｃ）に示すような位置関係となって、レバー６Ａ，６Ｂの先端部６ａが、収納部５ｄから完全に引っ込んだ状態となる。これにより、リモコン２のロックが解除される。
【００２６】
以上のように、この実施の形態１によれば、機器筐体５に回動自在に取り付けられ、回動に応じて先端部６ａが収納部５ｄに出没するレバー６Ａと、機器筐体５に回動自在に取り付けられ、レバー６Ａと対称に回動して先端部６ａが収納部５ｄに出没するレバー６Ｂと、レバー６Ａ，６Ｂにそれぞれ設けられ、先端部６ａが収納部５ｄに突出する回動方向にレバー６Ａ，６Ｂを付勢する捻回バネ７ａと、機器筐体５に取り付けられ、押下操作に応じて、捻回バネ７ａからの付勢力に抗して先端部６ａが収納部５ｄから埋没する回動方向にレバー６Ａ，６Ｂを回動させて、収納部５ｄに対するリモコン２のロックを解除するリリース釦４とを備える。このように構成することで、レバー６Ａ，６Ｂおよび捻回バネ７ａを機器筐体５の取り付け面５ｂに直接取り付けてリモコン収納構造を構成することができるため、部品点数が削減されて容易に組み立てることが可能である。
特に、従来では必須であったねじ止めが不要であるため、組み立て工程を格段に簡略化することができる。
【００２７】
また、この実施の形態１によれば、レバー６Ａ，６Ｂが回動軸にスナップフィット６ｅを備えており、機器筐体５に形成した取り付け用孔部５ｉにスナップフィット６ｅを嵌合させて取り付けられる。このように構成することで、レバー６Ａ，６Ｂを取り付け面５ｂに容易に取り付けることができる。
【００２８】
さらに、この実施の形態１によれば、捻回バネ７ａと、リリース釦４を元の位置に復帰させる捻回バネ７ｂが同一仕様のバネ部材であるので、全てのバネ部材が同様な取り付け構造で取り付け可能であり、簡易な構造にすることができる。
【００２９】
実施の形態２．
図１１は、この発明の実施の形態２に係るリモコン収納構造を示す斜視図である。図１２は、実施の形態２に係るリモコン収納構造で収納部にリモコンをロックした状態を示す斜視図である。なお、図１１および図１２では、２つのレバー６Ａ−１，６Ｂ−１のうち、レバー６Ｂ−１のみを示したが、取り付け面５ｂのレバー６Ｂ−１と対称な位置に同様の構造を有したレバー６Ａ−１が配置されている。従って、以降では、レバー６Ａ−１があるものとして説明する。
【００３０】
レバー６Ｂ−１（および６Ａ−１）には、図１１に示すように、リブ５ｈに沿った方向にガタ止め用片部６ｆが延設されている。リブ５ｈは、取り付け面５ｂに形成された上面部が水平なリブである。レバー６Ｂ−１（および６Ａ−１）を取り付け面５ｂに取り付けると、図１１のようにガタ止め用片部６ｆがリブ５ｈの上面部に当接する。これにより、レバー６Ｂ−１（および６Ａ−１）の回動に応じて、ガタ止め用片部６ｆがリブ５ｈ上を摺動する。
【００３１】
図１２に示すように、レバー６Ａ−１，６Ｂ−１の先端部６ａは、立ち壁部５Ｅの開口部５ｅを介して収納部５ｄに出没する。開口部５ｅの縁部には、図１１に示すように、ガタ止め用リブ５ｊが形成される。レバー６Ｂ−１（および６Ａ−１）を取り付け面５ｂに取り付けた場合、図１１に示すように、ガタ止め用リブ５ｊの下面部が先端部６ａの上面部に当接する。これにより、レバー６Ｂ−１（および６Ａ−１）の回動に応じて、先端部６ａは、ガタ止め用リブ５ｊの下面部に対して摺動する。
【００３２】
上述のように構成することで、レバー６Ｂ−１（および６Ａ−１）が、ガタ止め用リブ５ｊとガタ止め用片部６ｆに当接するリブ５ｈとによって、回動軸に沿った方向の動きが規制される。すなわち、レバー６Ｂ−１（および６Ａ−１）の上下方向の動きが規制されてがたつきがなくなる。これにより、がたつきに起因した異音の発生などの不具合を防止することができる。
【００３３】
なお、図１１に示すように、開口部５ｅよりも収納部５ｄ側に摺動面部５ｋを設けて、レバー６Ｂ−１（および６Ａ−１）の先端部６ａを、ガタ止め用リブ５ｊの下面部と摺動面部５ｋとで挟んだ状態で摺動させてもよい。このようにすることで、先端部６ａのがたつきを防止することができる。
また、ガタ止め用片部６ｆがＵ字形状の片部である場合を示したが、リブ５ｈに沿った方向に延設された形状であれば、これ以外の形状であってもよい。
【００３４】
以上のように、この実施の形態２によれば、機器筐体５の収納部５ｄとの境界部における互いに対称な位置に設けられ、開口部５ｅが形成された立ち壁部５Ｅと、レバー６Ａ−１，６Ｂ−１からそれぞれ延設されて、レバー６Ａ−１，６Ｂ−１の回動に応じて、機器筐体５に形成したリブ５ｈ上を摺動するガタ止め用片部６ｆと、開口部５ｅの縁部にそれぞれ設けられたガタ止め用リブ５ｊとを備え、レバー６Ａ−１，６Ｂ−１が、ガタ止め用リブ５ｊとガタ止め用片部６ｆに当接するリブ５ｈとによって回動軸に沿った方向の動きが規制される。このように構成することで、レバー６Ａ−１，６Ｂ−１の回動軸に沿った方向の動きが規制される。すなわち、レバー６Ａ−１，６Ｂ−１の上下方向の動きが規制されてがたつきがなくなる。これにより、がたつきに起因した異音の発生などの不具合を防止することができる。
【００３５】
実施の形態３．
図１３は、リリース釦を外した状態の実施の形態３に係るリモコン収納構造を示す斜視図である。また、図１４は、実施の形態３におけるリリース釦とレバーを示す斜視図である。図１３に示すように、実施の形態３に係るリモコン収納構造においては、レバー６Ａ−２が機器筐体５の取り付け面５ｂに回動自在に取り付けられ、レバー６Ｂ−２がレバー６Ａ−２と対称に回動するように取り付け面５ｂに取り付けられている。
なお、レバー６Ａ−２，６Ｂ−２の回動軸から先端部６ａまでをつなぐアーム部分は、レバー６Ａ−２，６Ｂ−２の回動に応じてリブ５ｈ，５ｈ−１上を摺動する。リリース釦４は、取り付け面５ｂに形成した取り付けリブ５ｆに軸支される。
【００３６】
また、図１３に示すように、レバー６Ａ−２，６Ｂ−２は、捻回バネ７ａによってそれぞれの先端部６ａが収納部５ｄに突出する回動方向に付勢されている。
すなわち、取り付け面５ｂに形成したバネ挿入軸５ｌに挿入した捻回バネ７ａの一端を、レバー６Ａ−２，６Ｂ−２に形成されたバネ当て部６ｄに掛け、捻回バネ７ａのもう一端を、取り付け面５ｂに設けられたバネ当て部５ｇに掛ける。
これにより、レバー６Ａ−２，６Ｂ−２の先端部６ａが収納部５ｄに突出する回動方向にレバー６Ａ−２，６Ｂ−２を付勢することができる。
なお、捻回バネ７ａに付勢された状態で、レバー６Ａ−２，６Ｂ−２の突起部６ｂ−１は、図１４を用いて後述するリリース釦４の当て面部４ｃに当接する。
【００３７】
立ち壁部５Ｅは、取り付け面５ｂと収納部５ｄの境界部における、互いに対称な位置にそれぞれ設けられ、各立ち壁部５Ｅには開口部５ｅが形成されている。レバー６Ａ−２，６Ｂ−２の先端部６ａは、図１３に示すように、立ち壁部５Ｅの開口部５ｅを介して収納部５ｄに出没する。
【００３８】
レバー６Ａ−２，６Ｂ−２は、先端部６ａから離間するアーム部分のもう一端に設けた回動軸と同軸に設けられたスナップフィット６ｅを、取り付け面５ｂに形成した取り付け用孔部５ｉに嵌合することで取り付け面５ｂに組み付けられる。
レバー６Ａ−２，６Ｂ−２のアーム中間部には、図１３に示すように、突起部６ｂ−１が形成されており、リリース釦４には、図１４に示すようにその裏面から突出した当たり面部４ｃが形成されている。この当たり面部４ｃは、実施の形態１と同様に基部から徐々に窄まった略三角形の形状を有している。
リリース釦４の押下に応じて、リリース釦４は、回動軸４ｂを中心に回動する。これに伴い、レバー６Ａ−２，６Ｂ−２の突起部６ｂ−１は、当たり面部４ｃの頂点部から基部に向けて摺動する。このとき、突起部６ｂ−１が収納部５ｄ側に近付いていくため、レバー６Ａ−２，６Ｂ−２は、互いの先端部６ａが離間する方向、すなわち先端部６ａが収納部５ｄから埋没する方向に回動する。
リリース釦４が所定の位置まで押下されると、レバー６Ａ−２，６Ｂ−２の先端部６ａが、収納部５ｄから完全に引っ込んだ状態となる。これにより、リモコン２のロックが解除される。このように構成することでも、上記実施の形態１，２と同様の効果を得ることができる。
【００３９】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１  開閉式ディスプレイ、２  リモコン、２ａ  孔部、３  ディスプレイ部、４  リリース釦、４ｂ  回動軸、４ｃ  当たり面部、５  機器筐体、５ａ  化粧パネル、５ｂ  取り付け面、５ｃ  インナーパネル、５ｄ  収納部、５ｅ  開口部、５Ｅ  立ち壁部、５ｆ  取り付けリブ、５ｆ−１  軸受け部、５ｇ，６ｄ  バネ当て部、５ｈ，５ｈ−１  リブ、５ｉ  取り付け用孔部、５ｊ  ガタ止め用リブ、５ｋ  摺動面部、６Ａ，６Ｂ，６Ａ−１，６Ｂ−１，６Ａ−２，６Ｂ−２  レバー、６ａ  先端部、６ｂ  端部、６ｂ−１  突起部、４ａ，５ｌ，６ｃ  バネ挿入軸、６ｅ  スナップフィット、７ａ，７ｂ  捻回バネ。
【図１】
2014155166.tif 000003
【図２】
2014155166.tif 000004
【図３】
2014155166.tif 000005
【図４】
2014155166.tif 000006
【図５】
2014155166.tif 000007
【図６】
2014155166.tif 000008
【図７】
2014155166.tif 000009
【図８】
2014155166.tif 000010
【図９】
2014155166.tif 000011
【図１０】
2014155166.tif 000012
【図１１】
2014155166.tif 000013
【図１２】
2014155166.tif 000014
【図１３】
2014155166.tif 000015
【図１４】
2014155166.tif 000016